【手続補正書】
【提出日】平成28年3月7日(2016.3.7)
【手続補正１】
【補正対象書類名】特許請求の範囲
【補正対象項目名】全文
【補正方法】変更
【補正の内容】
【特許請求の範囲】
【請求項１】
前胴回り域と、後胴回り域と、前記前胴回り域と前記後胴回り域との間に位置する股下域と、
前記前胴回り域から前記後胴回り域に向かう製品長手方向と、
前記製品長手方向と直交する製品幅方向と、
前記股下域を跨ぎ、前記前胴回り域及び前記後胴回り域の少なくとも一方に延び、吸収性コアを有する吸収体と、
前記後胴回り域の製品幅方向の外側端部に配置され、前記前胴回り域に止着する一対のファスニングテープと、
前記使い捨ておむつの前記製品幅方向中心を跨がり、前記製品幅方向に伸縮性を有するウエスト伸縮シートと、
前記前胴回り域及び前記後胴回り域において、製品幅方向に沿って延び、使い捨ておむつを着用者の身体に保持する胴回り保持部と、を備える使い捨ておむつであって、
前記ウエスト伸縮シートは、前記後胴回り域の後側端部に配置された後側ウエスト伸縮シートと、前記前胴回り域の前側端部に配置された前側ウエスト伸縮シートと、を有し、
前記後側ウエスト伸縮シートの一部は、前記吸収性コアの後側端部と重なって配置され、かつ前記胴回り保持部と重なって配置され、
前記前側ウエスト伸縮シートは、前記吸収性コアの前側端部に隣接して配置される、使い捨ておむつ。
【請求項２】
前記吸収体の非肌当接面側に配置される液不透過性のバックシートを備え、
前記バックシートの前側端部は、前記使い捨ておむつの前記前側端部と、前記吸収性コアの前側端部との間に位置し、
前記バックシートの後側端部は、前記使い捨ておむつの前記後側端部と、前記吸収性コアの後側端部との間に位置する、請求項１に記載の使い捨ておむつ。
【請求項３】
前記バックシートには、前記使い捨ておむつの非肌当接面側から視認可能な図柄が付されており、
前記図柄は、前記吸収性コアと重なる領域に配置され、かつ前記使い捨ておむつの前記前側端部と前記吸収性コアの前側端部との間及び前記使い捨ておむつの前記後側端部と前記吸収性コアの後側端部との間に配置されない、請求項２に記載の使い捨ておむつ。
【請求項４】
前記前胴回り域には、前記ファスニングテープが止着するターゲット部が配置されており、
前記前側ウエスト伸縮シートの後側端部は、前記ターゲット部の前側端部に隣接して配置されている、請求項１から請求項３のいずれかに記載の使い捨ておむつ。
【請求項５】
前記使い捨ておむつの肌当接側の表面に配置されるトップシートを備え、
前記トップシートは、少なくとも前記ウエスト伸縮シートが配置された領域から前記使い捨ておむつの前記製品長手方向端部までの範囲に配置されており、
前記トップシートは、前記製品幅方向に高目付け部と低目付け部とを交互に有する不織布シートによって構成される、請求項１から請求項４のいずれかに記載の使い捨ておむつ。
【請求項６】
前記使い捨ておむつの非肌当接側の表面に配置される外装シートを備え、
前記使い捨ておむつの肌当接側の表面に配置されるトップシートを備え、
前記トップシート及び前記外装シートのうち、少なくとも一方は、点や線エンボスによる熱融着点を有さない不織布シート、又は点や線エンボスの面積率が５％〜１５％である不織布シートによって構成されており、
前記トップシート及び前記外装シートの前記一方は、少なくとも前記ウエスト伸縮シートが配置された領域から前記使い捨ておむつの前記製品長手方向端部までの範囲に配置されている、請求項１から請求項４のいずれかに記載の使い捨ておむつ。
【請求項７】
前記ウエスト伸縮シートは、当該ウエスト伸縮シートを挟んで配置されるシートに接着剤を介して接合されており、
前記接着剤は、間欠的に配置されている、請求項１から請求項６のいずれかに記載の使い捨ておむつ。
【請求項８】
前記吸収性コアの前記製品長手方向端部の厚みは、前記吸収性コアの前記製品長手方向中央の厚みよりも薄い、請求項１から請求項７のいずれかに記載の使い捨ておむつ。
【手続補正２】
【補正対象書類名】明細書
【補正対象項目名】００６９
【補正方法】変更
【補正の内容】
【００６９】
このようなシート形状のウエスト伸縮シートを設けることにより、ウエスト伸縮シートを配置した領域（ウエスト開口部近傍）が面で体に沿う。よって、着用者の体を好適に覆うことができる。一方、複数の糸状の弾性部材を設ける構成にあっては、糸状の弾性部材部分は、体に沿うが、厳密には、糸状の弾性部材の間の部分は体に当たらない。よって、線で体に沿うことになり、ズレ等が発生し易く、着用者の体を覆うことが不十分になってしまう。また、ウエスト伸縮シートは、シート自体が弾性を有する為、柔軟性にもすぐれ、ウエスト周りにクッション感を付与できる。更には、ウエスト伸縮シートが収縮した状態では、ウエスト伸縮シートが配置された部分が嵩高な状態となり易く、風合いにも優れた状態となる。
【手続補正３】
【補正対象書類名】明細書
【補正対象項目名】００７０
【補正方法】変更
【補正の内容】
【００７０】
本実施形態では、ウエスト伸縮シートは、当該ウエスト伸縮シートを挟んで配置されるシートに接合されている。具体的には、ウエスト伸縮シートは、外装シート60とバックシート60aとの間に配置されている。しかし、コアラップ40bが吸収性コア40aよりも製品長手方向外側に延出する構成にあっては、ウエスト伸縮シートは、コアラップ40bと、バックシート60a又は外装シート60と、の間に配置されていてもよい。ウエスト伸縮シートの位置は、特に限定されない。また、吸収体が配置されない領域にあっては、サイドフラップ70と、バックシート60a又は外装シート60と、の間に配置されていてもよい。ウエスト伸縮シートは、ホットメルト接着剤又は加熱処理等によって外装シート60等に接着される。
【手続補正４】
【補正対象書類名】明細書
【補正対象項目名】００７１
【補正方法】変更
【補正の内容】
【００７１】
ウエスト伸縮シートが配置された領域では、シート同士（具体的には、トップシート、バックシート、ウエスト伸縮シート）の接合は、間欠的に塗布された接着剤（ホットメルト接着剤）にて固定されている。間欠的に塗布とは、面状に塗布された状態ではなく、線状の接着剤が蛇行・スパイラル形状等を描きながら塗布されている状態をいう。
【手続補正５】
【補正対象書類名】明細書
【補正対象項目名】０１０５
【補正方法】変更
【補正の内容】
【０１０５】
高目付け部と低目付け部とを有するトップシートが少なくともウエスト伸縮シートが配置された領域から使い捨ておむつの製品長手方向端部までの範囲に配置されている。少なくともウエスト伸縮シートが配置された領域から使い捨ておむつの前記製品長手方向端部までの範囲に配置されている状態とは、後側ウエスト伸縮シートを覆い、かつ当該後側ウエスト伸縮シートから使い捨ておむつの後側端部まで配置されている状態、及び、前側ウエスト伸縮シートを覆い、かつ当該前側ウエスト伸縮シートから使い捨ておむつの前側端部まで配置されている状態である。
【手続補正６】
【補正対象書類名】明細書
【補正対象項目名】０１０８
【補正方法】変更
【補正の内容】
【０１０８】
ウエスト伸縮シートは、当該ウエスト伸縮シートを挟んで配置されるシートに接着剤を介して接合されており、接着剤が間欠的に塗布されているため、シートの接合点が少ない。ウエスト伸縮シートが収縮した状態においては、非接合部（接着剤が塗布されていない部分）における製品厚みが大きくなり、かつ柔軟性が高い状態となる。